(57)【特許請求の範囲】
【請求項１】
柱の下端面に、短柱の上端面を当接し、前記柱の下端部の外面及び／又は前記短柱の外面とへ、共通の連結板を当接させて固定し、
前記柱の下端部の左右の外面と前記短柱の左右の外面とへ、共通の断面Ｔ字形の連結板を当接させて固定し、
前記Ｔ字形の連結板の突出板の一部を床板用の横架材の中央溝に挿入し、
該横架材と前記突出板とを共通の連結杆で貫通固定したことを特徴とする柱脚部と横架材との連結装置。
【請求項２】
Ｔ字形の連結板の突出板は、短柱の下端面より下方に延出しており、該延出した部分に、縁付孔が設けられていることを特徴とする請求項１記載の柱脚部と横架材との連結装置。
【請求項３】
Ｔ字形の連結板の短柱との当接面の下端側が、前記短柱側に屈曲しており、当該屈曲した部分に前記短柱の下端部を当接させたことを特徴とする請求項１記載の柱脚部と横架材との連結装置。
【発明の詳細な説明】
【技術分野】
【０００１】
この発明は、柱脚部を容易に交換できる構造とし、柱の耐久性を向上させることを目的とした柱脚部構造及び柱脚部と横架材との連結装置に関する。
【背景技術】
【０００２】
従来、柱脚部と横架材との連結装置は、接続金物を介してボルト等で固定されているものが知られているが、柱の脚部に木材よりなる柱脚部を取り換え自在に連設した連結装置は知られていない。
【先行技術文献】
【特許文献】
【０００３】
【特許文献１】特開２００３−１３５０２号公報
【特許文献２】特開平７−４２７３１号公報
【特許文献３】特開２００４−６０３６９号公報
【発明の概要】
【発明が解決しようとする課題】
【０００４】
従来、柱の下端部は、コンクリート基礎上へ接触、又は布基礎上へ当接しているので吸湿しやすく、そのため条件によっては、柱の下脚部が５０年前後で腐食し、使用に耐えられなくなる場合がある。
【０００５】
従来の木造建築においては、保存条件が良好であれば１００年以上（場合によっては数百年）良好な状態に保持されることもある。
【０００６】
しかし、吸湿その他の生じる設置条件が良好でない場所においては、数十年以内に柱の下端が腐食し、その機能が大幅に低下する場合も少なくない。例えば、建造物中の柱の脚部の土台又は基礎との当接部が腐食し、柱の支持機能が著しく低下する場合がある。このような場合に、柱の腐食した脚部を取り換えれば、建物を更に１００年以上の使用に耐えるようにすることができる。
【０００７】
従来、柱の脚部の補強としては、柱の脚部外周に銅板を巻き、又は柱の脚部側面にＴ型補強金物を当接した発明が知られている（特許文献１）。また、ボルトと金具で補強した連結構造が知られている（特許文献２）。さらに、基礎にアンカーボルト柱を定着した構造の提案もある（特許文献３）。
【０００８】
しかし、柱と同質の木製の短柱（脚部）を取り換え容易に取り付け、必要に応じ短柱を取り換えることにより、同一外観を保ち、かつ柱の支持力を長期間に亘り保持するような連結構造については知られていない。
【課題を解決するための手段】
【０００９】
そこで、発明者は、柱の下端部の腐食しやすい部分を同形の新品の短柱と取り換え可能に構成することにより、柱の寿命を飛躍的に延長でき得ることに着目し、この発明を完成したのである。
【００１０】
通常、柱の腐食しやすい脚部は、柱の下端面から上部までの長さが８０ｍｍ前後の部分であるから、柱の下端面から８０ｍｍ位上方までの短柱を別装とし、柱を設置する当初から取り換え可能に連設しておくことにより、柱の支持機能を維持することに成功し、前記従来の問題点を解決したのである。
【００１１】
即ち、柱の下端面に取り換え用の短柱の上端面を当接して、着脱可能に連結した構造とすることにより、柱下端部の腐食など、取り換えの必要に応じて短柱を取り換え、前記柱の支持機能維持の目的を達成することができる。
【００１２】
前記短柱は、主柱と同一断面形状で同一面積とし、繊維を縦方向にして設置し、水分等が柱上部から降下すればそのまま通過できるようにし、継ぎ目のない主柱と同一条件にしてある。
【００１３】
前記主柱と短柱とは、取付金物を介してボルト等で連結されているので、短柱の強度は主柱と同等以上である。
【００１４】
前記取付金物は、例えば矩形金属板と、Ｔ型金属板とであって、柱と横架材とを設計に基づく形状で固定し、連結構造を構成する。
【００１５】
前記における短柱の高さは、柱の腐食しやすい部分の長さとするが、通常８０ｍｍ前後である。この長さに制約はないが、少なくとも柱の下端部が腐食しやすい部分の長さ以上とする必要がある。
【００１６】
前記短柱は、主柱の前後、左右に当接固着した取付板（連結板）と固定釘とにより固定される。この点は主柱と短柱が一体的に固定されていることが条件であるが、その余の点（例えば取付板の幅、長さ、厚さなど）については制約がない。前記主柱と短柱とが実質的に同一柱としての作用効果を有すればよいことになる。
【００１７】
また、取付板の取付け状態についても具体的な制約はない。例えば、柱面に取付板の厚さと同等の凹入部を設け、この凹入部に取付板を収容すれば、取付け状態が面一になるなどの具体的形状、構造に制約はない。
【００１８】
なお、取付板は、設計強度を有する限りにおいて、外形、長さ、幅及び厚さ、並びに材質などに具体的制約はないが、通常は錆が生じない金属板（例えば不銹鋼又は銅板）が使用される。
【発明の効果】
【００１９】
この発明によれば、長年使用の結果柱脚部の強度が低下した部分を柱設置のまま容易に取り換えることができるので、柱の支持機能を永年に亘り良好な状態で維持することができる効果がある。
【００２０】
また、前記強度が低下した部分は取付板で固定されているので、取付板を取り外すことにより、容易かつ簡単に取り換えることができると共に、単なる取り換え作業に過ぎないので、高度の技術は不要である。即ち、前記作業は一般装置の部品交換と同一であって、交換用の特別な技術は不要である。
【００２１】
また、取り換え作業の前後において、柱にかかる外力は、建造物の当該柱を支持する外力だけで、建造物の他の部分を損傷させるおそれはなく、悪影響を及ぼすおそれもないなどの諸効果がある。
【図面の簡単な説明】
【００２２】
【図１】この発明の連結装置の正面図。
【図２】同じく横断拡大平面図。
【図３】同じく一部を省略した斜視図。
【図４】（ａ）同じく連結板の拡大正面図、（ｂ）同じく拡大底面図、（ｃ）同じく拡大側面図。
【図５】（ａ）同じく他の実施例の横断面斜視図、（ｂ）同じく脚部の斜視図、（ｃ）同じく接続状態を表した一部正面図。
【発明を実施するための形態】
【００２３】
この発明は、従来の柱と横架材との連結装置において、柱の下端部を所定の長さ（例えば８ｃｍ〜１０ｃｍ）に亘って取り換えることにより、柱の使用期間を大幅に増大させるようにしたものである。
【００２４】
即ち、柱の腐食しやすい部分を予め取り換え可能に構成して、該部を取り換えたことにより柱の耐用年限を大幅に増大させたものである。
【実施例１】
【００２５】
この発明の実施例を、図１乃至図４を参照して説明する。柱１の下端面に取り換え用の短柱１ａの上端面を当接し、柱１と短柱１ａとの前後外面に共通の連結板２、２を当接し、連結板２、２を止釘３、３で固定し、柱１と短柱１ａとを一体柱とする（図１）。
【００２６】
本実施例では、連結板２を柱１と短柱１ａとの前後外面に設けているが、連結板２は主柱１と短柱１ａとを正しい位置で当接保持する目的で当接しているので、必ずしも柱１と短柱１ａとの前後外面に設ける必要はなく、柱１と短柱１ａ前側又は後側の一方のみに設けてもよい。
【００２７】
柱１と短柱１ａとの左右外面に、Ｔ字形の連結板４、４を当接し、柱１とＴ字形の連結板４とを止釘３で固定する（図３）。
【００２８】
Ｔ字形の連結板４の短柱１ａとの当接面の下端側は、突出部４ａが突出する方向とは逆方向に屈曲しており、当該屈曲した部分４ｂに短柱１ａの下端部を当接させて、短柱１ａが支持される（図１）。
【００２９】
連結板４、４の突出部４ａは、床板を支持する横架材５の溝に突入させてあり、突出部４ａと横架材５とは、連結杆７で貫通され、連結杆７の両端にナットを螺合して固定されている。図中１３は連結孔、１４は布基礎である。
【００３０】
このように、柱１、短柱１ａ及び横架材５は連結板２、４により一体的に連結され、木材と金属とが一体化した複合型の連結装置１０が構成されている。
【００３１】
短柱１ａを取り換える場合には、主柱１及び短柱１ａに固定した連結板２の止釘３を取り外す。そして、短柱１ａを図２中矢印１１又は１２の方向へ加圧すれば、短柱１ａを矢印１１又は１２の方向へ取り外すことができるので、取り外した部分に新しい短柱を挿入することで古い短柱と新しい短柱とを容易に取り換えることができる。
【実施例２】
【００３２】
この発明の他の実施例を、図５を参照して説明する。円形断面の柱１５の下端面に嵌合溝１６を設け、該嵌合溝１６に短柱１５ａの突条１７を嵌合させる。
【００３３】
嵌合溝１６と突条１７の嵌合部外面へ連結板１８を被着し、止釘３、３で固定して柱１５と短柱１５ａとを一体化させる。柱１５と短柱１５ａとは連結板１８で一体化されているので、柱１５と短柱１５ａとは一本の柱と同様の作用効果がある。
【００３４】
本実施例において、短柱１５ａは、連結板１８を取り外すことによって簡単に分離できるので、短柱１５ａの取り換え作業は容易迅速に完了することができる。
【符号の説明】
【００３５】
１  柱
１ａ  短柱
２  連結板
４  Ｔ字形の連結板
５  横架材
１０  連結装置
【図１】
0005559854.tif 000002
【図２】
0005559854.tif 000003
【図３】
0005559854.tif 000004
【図４】
0005559854.tif 000005
【図５】
0005559854.tif 000006